(57)【要約】【課題】パネル幅方向両端部にガスケットや目地を設けることがないパネルの取付構造を提供する。【解決手段】笠木５と横桟６と左右の袖パネル２とからなる空間を塞ぐパネルの取付構造であり、パネルは室外側パネル３０と室内側パネル３１とからなる。袖パネル端部には係止縦枠７が設けてある。室外側パネル３０の縦フレーム材には係止突起（螺子Ｓ４）が、係止縦枠７には係止突起を見込方向に受け入れて下方に案内可能な係止孔７３が形成されており、室外側パネル３０をケンドン式で笠木５、横桟６に取り付ける際に、係止突起が係止孔７３に係止する。室内側パネル３１は室内外方向の移動が規制される状態で取り付けられる。室外側及び室内側パネル３０、３１の幅方向の左右端部は、係止縦枠７を室内側及び室外側から隠蔽するように延出する。【選択図】図６
2010150880.tif 000002
【特許請求の範囲】
【請求項１】
上側の笠木と、下側の横桟と、左右の袖パネルの端部と、で囲まれた空間を塞ぐように取り付けられるパネルの取付構造において、
前記パネルを、前記笠木に対して互いに反対側に位置する第１部分と第２部分とから形成し、
前記第１部分は、前記パネルの一方の見付面となる第１面部と、第１面部の上方部位に設けられ、笠木に取り付けられる立ち上がり状の取付片と、第１面部の上方部位に設けられ、前記笠木に対して前記第２部分側に位置する立ち上がり状の被係止片と、第１面部の幅方向端部に設けた左右の縦フレーム材と、を備え、
前記第２部分は、前記パネルの他方の見付面となる第２面部と、第２面部の上方部位に設けられ、前記被係止片に係止する上側係止片と、第２面部の下方部位に設けられ、横桟に設けた被係止部に係止する下側係止片と、を備え、
前記左右の袖パネルの端部には、高さ方向に延出し、第１部分を係止させるための係止縦枠がそれぞれ設けてあり、
前記第１部分の縦フレーム材と係止縦枠のいずれか一方にはパネル幅方向に突出する係止突起が、他方には係止突起を見込方向に受け入れて下方に案内可能な係止孔が形成されており、
前記第１部分は、前記左右の係止突起を前記左右の係止孔に係止させることで室内外方向の移動が規制されており、
前記第２部分は、前記第１部分とは反対側から前記被係止片及前記横桟の被係止部に係止されており、
第１部分の第１面部及び第２部分の第２面部の幅方向の左右端部は、前記左右の係止縦枠を室内側及び室外側から隠蔽するように延出している、
パネルの取付構造。
【請求項２】
前記係止縦枠は、第１面部側及び第２面部側の見付片と、見込片と、から形成されており、
前記係止孔は、第１面部側の見付片から見込片に亘って形成された水平部と、見込片において水平部から下方に延びる垂直部と、からなり、
前記係止突起は、前記第１部分の縦フレーム材の見込片から突出するように設けてある、
請求項１に記載のパネルの取付構造。
【請求項３】
前記笠木は、第１面部側の垂下片と第２面部側の垂下片とを備え、
前記第２部分は、前記第２部分の上側係止片を前記被係止片と第２面部側の垂下片との間に形成された隙間に上方から差し入れることで前記被係止片の上端に係止させると共に、前記第２部分の下側係止片を横桟の被係止部に係止させることで室内外方向の移動が規制されており、
前記取付片は前記被係止片の上端を越えて上方に延出しており、当該延出する部位と前記笠木の第２面部側の垂下片とが第２面部側から止着部材によって固定されており、前記止着部材の頭部は、第２部分の上側係止片の直上に位置することで第２部分の上方への移動を規制している、
請求項１、２いずれかに記載のパネルの取付構造。
【請求項４】
前記被係止片は、第１面部の上方部位に設けたベース部材の垂直片に止着部材を介して設けてあり、
前記被係止片と前記ベース部材の垂直片のいずれか一方に形成された止着部材の挿通孔を高さ方向に延びる長孔とすることで、被係止片の上端の高さが調整可能となっている、
請求項１乃至３いずれかに記載のパネルの取付構造。
【発明の詳細な説明】
【技術分野】
【０００１】
本発明は、上側の笠木と、下側の横桟と、左右の袖パネルの端部と、で囲まれた空間を塞ぐように取り付けられるパネルの取付構造に関するものである。
【背景技術】
【０００２】
トイレブース等の開口部の上部にパネルを取り付ける場合、図８に示すように、左右の袖パネル２間の空間に室外側よりパネル３´を取り付けて、室内側からガスケットＧなどで、目隠しをすることが一般的に行なわれている。
【０００３】
しかし、この取付方法では、室内側にのみガスケットＧが露出することになって、室内外の意匠が異なるのみならず、ガスケットＧが脱落する可能性があるという欠点がある。
【０００４】
特許文献１には、パネル取付構造が開示されているが、このものもガスケットに相当する目地を用いていると共に、両側面に外向きに付勢され開口側面に当接するばねを設けてなることから、目地が脱落する可能性を有している。
【特許文献１】特開平０８−１５８７４８
【発明の開示】
【発明が解決しようとする課題】
【０００５】
本発明は、パネル幅方向両端部にガスケットや目地を設けることがないパネルの取付構造を提供することを目的とする。
【課題を解決するための手段】
【０００６】
かかる課題を達成するために本発明が採用した技術手段は、
上側の笠木と、下側の横桟と、左右の袖パネルの端部と、で囲まれた空間を塞ぐように取り付けられるパネルの取付構造において、
前記パネルを、前記笠木に対して互いに反対側に位置する第１部分と第２部分とから形成し、
前記第１部分は、前記パネルの一方の見付面となる第１面部と、第１面部の上方部位に設けられ、笠木に取り付けられる立ち上がり状の取付片と、第１面部の上方部位に設けられ、前記笠木に対して前記第２部分側に位置する立ち上がり状の被係止片と、第１面部の幅方向端部に設けた左右の縦フレーム材と、を備え、
前記第２部分は、前記パネルの他方の見付面となる第２面部と、第２面部の上方部位に設けられ、前記被係止片に係止する上側係止片と、第２面部の下方部位に設けられ、横桟に設けた被係止部に係止する下側係止片と、を備え、
前記左右の袖パネルの端部には、高さ方向に延出し、第１部分を係止させるための係止縦枠がそれぞれ設けてあり、
前記第１部分の縦フレーム材と係止縦枠のいずれか一方にはパネル幅方向に突出する係止突起が、他方には係止突起を見込方向に受け入れて下方に案内可能な係止孔が形成されており、
前記第１部分は、前記左右の係止突起を前記左右の係止孔に係止させることで室内外方向の移動が規制されており、
前記第２部分は、前記第１部分とは反対側から前記被係止片及前記横桟の被係止部に係止されており、
第１部分の第１面部及び第２部分の第２面部の幅方向の左右端部は、前記左右の係止縦枠を室内側及び室外側から隠蔽するように延出している、
パネルの取付構造、である。
後述する実施形態では、第１部分は室外側パネルであり、第２部分は室内側パネルである。
１つの態様では、前記第１部分はいわゆるケンドン式で取り付けられる。
１つの態様では、前記立ち上がり状の取付片、前記立ち上がり状の被係止片は、第１面部の幅方向（パネルの幅方向）の両端側に位置してそれぞれ設けてある。
後述する実施形態では、前記第１部分は、第１面部と、第１面部の四周に折曲形成された上片、下片、左右の縦片と、第１面部の上方部位に設けた上側フレーム材と、第１面部の幅方向端部に設けた左右の縦フレーム材と、を備えているが、これには限定されない。後述する実施形態では、前記第２部分は、第２面部と、第２面部の四周に折曲形成された上片、下片、左右の縦片と、を備えているがこれには限定されない。
前記第１部分の下方部位に下側係止片を設け、前記横桟に前記下側係止片が係止する被係止部を設けてもよい。
【０００７】
１つの態様では、前記係止縦枠は、第１面部側及び第２面部側の見付片と、見込片と、から形成されており、
前記係止孔は、第１面部側の見付片から見込片に亘って形成された水平部と、見込片において水平部から下方に延びる垂直部と、からなり、
前記係止突起は、前記第１部分の縦フレーム材の見込片から突出するように設けてある。
【０００８】
１つの態様では、前記笠木は、第１面部側の垂下片と第２面部側の垂下片とを備え、
前記第２部分は、前記第２部分の上側係止片を前記被係止片と第２面部側の垂下片との間に形成された隙間に上方から差し入れることで前記被係止片の上端に係止させると共に、前記第２部分の下側係止片を横桟の被係止部に係止させることで室内外方向の移動が規制されており、
前記取付片は前記被係止片の上端を越えて上方に延出しており、当該延出する部位と前記笠木の第２面部側の垂下片とが第２面部側から止着部材によって固定されており、前記止着部材の頭部は、第２部分の上側係止片の直上に位置することで第２部分の上方への移動を規制している。
１つの態様では、前記被係止片は、第１面部の上方部位に設けたベース部材の垂直片に止着部材を介して設けてあり、
前記被係止片と前記ベース部材の垂直片のいずれか一方に形成された止着部材の挿通孔を高さ方向に延びる長孔とすることで、被係止片の上端の高さが調整可能となっている。
【発明の効果】
【０００９】
請求項１、２に記載した発明では、パネルを第１部分と第２部分に分割すると共に、左右の袖パネルに設けた係止縦枠を介して第１部分を室内側方向の移動が規制された状態で係止させ、第２部分を室内外方向の移動が規制された状態で係止させ、かつ、第１部分の第１面部及び第２部分の第２面部の幅方向の左右端部は、前記左右の係止縦枠を室内側及び室外側から隠蔽するように延出しているので、パネル幅方向両端部にガスケットや目地を設けることがないパネルの取付構造を提供することができる。したがって、パネルの室内外の意匠を同じにすることができ、また、ガスケットや目地の経年劣化によるメンテナンスも不要である。
請求項３に記載した発明では、第１部分及び第２部分の上方への移動を規制する螺子は、第２部分の面部ではなく面部の上方に位置する笠木に設けるものであり、パネルの面部の外観を損ねることがない。
【００１０】
請求項４に記載した発明では、パネルを第１部分と第２部分とに分割したものでありながら、現場において、被係止片の上端の高さを微調整することで、第２部分の取り付け位置を微調整することができる。
【発明を実施するための最良の形態】
【００１１】
本発明の実施の形態を図面に基づいて説明する。図１は、トイレブースの上面図および外側から見た正面図であり、トイレブースの開口部１は、左右の袖パネル２（戸先側袖パネルを２Ａ、戸尻側袖パネルを２Ｂとする）と、上部の上部パネル３から囲まれている。開口部１は扉体によって開閉されるが、扉体としては、引戸、開き戸、バランス戸、折戸が例示され、図１では、右から順に、引戸の扉体４、内開き戸の扉体４´、外開き戸の扉体４´を示している。左右の袖パネル２は、床ＦＬから天井Ｃまでの全高に亘って延出している。天井Ｃには開口幅方向に延出する笠木（天井レール）５が取り付けてある。図２乃至図６には引戸が開口部１を開閉する実施形態を、図７には開き戸が開口部１を開閉する実施形態を示す。
【００１２】
図３右図に示すように袖パネル２の上端には、笠木５を受け入れる凹部２０が形成されており、袖パネル２は、いわゆるケンドン式で取り付けられる。袖パネル２の下端には巾木２１が固定されている。図３左図に示すように、上部パネル３の上端には、袖パネル２と同様に、笠木５を受け入れる凹部が形成されている。上部パネル３の構成の詳細については後述する。
【００１３】
笠木５は、図示の態様では、対向状の室外側の垂下片５０、室内側の垂下片５１からなる。袖パネル２の上端の凹部２０、上部パネル３の上端の凹部内には、水平片５０´と垂直状の立ち上がり片５１´とから側面視Ｌ形状のパネル取付片５´が設けてあり、笠木５の室内側の垂下片５１にパネル取付片５´の立ち上がり片５１´を重ね合わせて、室内側から螺子Ｓ１、Ｓ２でそれぞれ固定するようになっている。
【００１４】
図２、図３に示すように、左右の袖パネル２Ａ（戸先側袖パネル）、２Ｂ（戸尻側袖パネル）間に形成された開口部１を、開口部幅方向に移動可能な扉体４によって開閉する。開口部１の上方の上部パネル３から戸尻側袖パネル２Ｂに亘ってハンガーレール４１が開口部幅方向に延出しており、扉体４は、扉体４の上端に設けたハンガーローラ４０を介してハンガーレール４上を移動して開口部１を開閉するようになっている。
【００１５】
開口部１の上端には、開口幅方向に延出する横桟６が設けてある。横桟６の長さ方向の両端部は袖パネル２に固定されている。横桟６の上面には長さ方向（開口幅方向）に延出する凹部６０が形成されており、凹部６０は後述するように上部パネル３の下端の下側係止片に対応する被係止部を構成している。袖パネル２は、開口部１の高さＨ１に対応する第１部位と、開口部１の上方部位から天井Ｃまでの高さＨ２に対応する第２部位とからなる。
【００１６】
上部パネル３は、天井Ｃに設けた笠木５、左右の袖パネル２Ａ、２Ｂの第２部位、横桟６で囲まれる空間を閉塞するように取り付けられる。袖パネル２の第２部位には、高さ方向に延出する垂直状のパネル係止縦枠７が設けてある。パネル係止縦枠７は、高さ方向に間隔を存して螺子Ｓ３によって袖パネル２Ａ、２Ｂの端面２２に取り付けられる。
【００１７】
図６に示すように、パネル係止縦枠７は、室内外の対向状の見付片７０、７１と、見付片同士を連結する見込片７２と、から断面視コ字形状に形成されているチャンネル材である。左右の戸先側及び戸尻側のパネル係止縦枠７は、室内外の見付片７０、７１の先端を袖パネル２Ａ、２Ｂの端面２２に当接させて（他の部材を介して当接させてもよい）、見込片７２同士が対向するようにして、見込片７２から袖パネル２Ａ、２Ｂの端面２２に向かう螺子Ｓ３によって取り付けられる。パネル係止縦枠７は、横桟から６から天井Ｃまでの全高に亘って延出しており、室内外の見付片７０、７１の先端が袖パネル２Ａ、２Ｂの端面２２に当接されていることにより、上部パネル３の幅方向両端部において室内外で連通する隙間が形成されることを防止し、室内外での光の漏れを防止する。
【００１８】
パネル係止縦枠７には、高さ方向に間隔を存して複数（図示の例では２つ）の係止孔７３が形成されている。係止孔７３は、室外側見付片７０（幅方向略中央部位）から見込片７２（幅方向略中央部位）に亘って形成された水平部７３０と、水平部７３０の見込片７２側の端部から下方に向かって延びる垂直部７３１と、からなる。水平部７３０の溝幅（高さ）は後述する螺子Ｓ４の頭部よりも大きく、垂直部７３１の溝幅は、螺子Ｓ４の頭部よりも小さく、軸部よりも大きい寸法となっている。パネル係止縦枠７の見込片７２の上端には、平行状に垂直に延びるスリット７４が形成されており、スリット７４に笠木５の垂下片５０、５１を受け入れるようになっている。尚、図６に示すパネル係止縦枠７の斜視図は、戸尻側袖パネル２Ｂに取り付けられた戸尻側のパネル係止縦枠７の斜視図であり、戸先側のパネル係止縦枠７の構成は、図示の戸尻側のパネル係止縦枠７と左右対称となることは当業者に理解される。
【００１９】
図５、図６に示すように、上部パネル３は、パネルの室外側部位を構成する室外側パネル３０と、室内側部位を構成する室内側パネル３１と、に分割されており、これらを組み立てることで上部パネル３が形成される。尚、以下に述べる室外側パネル３０の構成を備えたパネルが室内側に、室内側パネル３１の構成を備えたパネルが室外側に位置するようにして上部パネル３を構成することも可能であることは当業者に理解される。
【００２０】
室外側パネル３０は、上部パネル３の室外側見付面を形成する面部３００と、面部３００の四周の折曲片とからなり、四周の折曲片は、より具体的には、面部３００の上端に折曲形成された上片３０１と、面部３００の下端に折曲形成された下片３０２と、面部３００の幅方向両端部にそれぞれ折曲形成された縦片３０３、３０４と、からなる。
【００２１】
室外側パネル３０の面部３００の上片３０１は、面部３００に対して直角に折曲された室内側に延出する水平片である。室外側パネル３０の面部３００の下片３０２は、室内側に延出する水平片３０２Ａと、水平片３０２Ａの室内側端部から下方に折曲してなる垂下片３０２Ｂと、からなる。室外側パネル３０の左右の縦片３０３、３０４はパネル内側に向かって９０度を越えて折り返し状に折曲された「レ」状の折曲片である。
【００２２】
室外側パネル３０の面部３００の上方部位の内側面には、上部パネル３の幅方向に延出する上側フレーム材３２が設けてある。上側フレーム材３２は、垂直片３２０と垂直片３２０の下端から室内側に向かって水平状に延出する水平片３２１と、垂直片３２０の上端を室内側に折曲してなる折曲片３２２と、水平片３２１の先端から下方に向かって垂下状に折曲形成した折曲片３２３と、からなる。フレーム材３２の垂直片３２０、折曲片３２２は、面部３００の上端側部位、上片３０１の内側にそれぞれ密着固定（例えば、接着剤や溶接によって）されている。
【００２３】
室外側パネル３０の面部３００の下方部位の内側面には下側フレーム材３３が取り付けてある。下側フレーム材３３は、ハンガーレール４１の取付のための補強材の役割をも有している。下側フレーム材３３は、上側の水平片３３０と、下側の水平片３３１と、上下の水平片３３０、３３１の室内側を上下に連結してなる垂直片３３２と、上側の水平片３３０の室外側を下方に垂下状に折曲してなる折曲片３３３と、下側の水平片３３１を下方に垂下状に折曲してなる折曲片３３４と、からなる。フレーム材３３の折曲片３３３、３３４は、面部３００の下端側部位の内側に密着固定（例えば、接着剤や溶接によって）されている。
【００２４】
図２上図、図６に示すように、室外側パネル３０の面部３００の幅方向の両端部には、それぞれ左右の縦フレーム材３４、３５が設けてある。縦フレーム材３４は、室内外の対向状の見付片３４０、３４１と、見付片同士を連結する見込片３４２と、から断面視コ字形状に形成されている。同様に、縦フレーム材３５は、室内外の対向状の見付片３５０、３５１と、見付片同士を連結する見込片３５２と、から断面視コ字形状に形成されている。縦フレーム材３４、３５の室外側の見付片３４０、３５０は面部３００の幅方向両端部近傍の内側に密着固定（例えば、接着剤や溶接によって）されており、「レ」状の縦片３０３、３０４は、縦フレーム材３４、３５の見込片３４２、３５２よりも外方（袖パネル２Ａ、２Ｂ側）に位置している。
【００２５】
縦フレーム材３４、３５の見込片３４２、３５２には、係止突起を構成する螺子Ｓ４が取り付けられている。螺子Ｓ４は、頭部及び軸部の一部が見込片３４２、３５２から開口幅方向外側（縦片３０３、３０４側）に突出するように見込片３４２、３５２に螺着されている。図２上図、図６では戸尻側の螺子Ｓ４のみが図示されて、戸先側の螺子は省略されている。
【００２６】
上側フレーム材３２の水平片３２１の幅方向の両端部（すなわち、上部パネル３の幅方向の両端部）には、室外側パネル３０の取付片５´の水平片５０´が螺子（後述する螺子Ｓ５に隠れているため図示せず）で固定されている。上側フレーム材３２の水平片３２１には、左右の室外側パネル取付片５´の開口幅方向内側（上部パネル３の幅方向中央部側）にそれぞれ隣接して水平片８０と垂直片８１とからなる側面視Ｌ形状のベース部材８が螺子Ｓ５で固定されている。ベース部材８の垂直片８１の室内側には垂直状の被係止片９が螺子Ｓ６で固定されている。被係止片９に形成された螺子Ｓ６を受け入れる孔（図示せず）は高さ方向の長孔であり、被係止片９を長孔に沿って上下動させることで、室内側パネル３１を係止する被係止片９の上端の高さ位置を微調整できるようになっている。図５に示すように、笠木５の室内側の垂下片５１と被係止片９との間には僅かな隙間が形成されている。ベース部材８はこのような隙間を形成するように上側フレーム材３２の水平片３２１に取り付けられている。また、パネル取付片５´の立ち上がり片５１´は、被係止片９の上端よりも上方に延出している。
【００２７】
室内側パネル３１は、パネル３の室内側見付面を形成する面部３１０と、面部３１０の四周の折曲片とからなり、四周の折曲片は、より具体的には、面部３１０の上端に折曲形成された上片３１１と、面部３１０の下端に折曲形成された下片３１２と、面部３１０の幅方向両端部にそれぞれ折曲形成された縦片３１３、３１４と、からなる。
【００２８】
室内側パネル３１の面部３１０の上片３１１は、面部３１０の上端から室外側に水平状に折曲する水平片３１１Ａと、水平片３１１Ａの先端から下方に折曲した垂下片３１１Ｂと、からなる。室内側パネル３１の面部３１０の下片３１２は、面部３１０の下端から室外側に水平状に折曲する水平片３１２Ａと、水平片３１１Ａの先端から下方に折曲した垂下片３１２Ｂと、からなる。室内側パネル３１の左右の縦片３１３、３１４はパネル内側に向かって９０度を越えて折り返し状に折曲された「レ」状の折曲片である。
【００２９】
このように構成された上部パネル３の取り付けについて説明する。先ず、天井Ｃに設けた笠木５、左右の袖パネル２Ａ、２Ｂ、横桟６に対して、室外側パネル３を室外側からケンドン式で取り付ける。より具体的には、室外側パネル３０の上端の上側フレーム材３２の垂直片３２０と垂直片３２０の上端を室内側に折曲してなる折曲片３２２の室内側に、笠木５の室外側の垂下片５０を位置させ、パネル取付片５´の立ち上がり片５１´の室内側に笠木５の室内側の垂下片５１を位置させるように持ち上げ、次いで、室外側パネル３０の幅方向両端の係止突起としての螺子Ｓ４を左右のパネル係止縦枠７の係止孔７３の水平部７３０に挿入させた後、室外側パネル３０を下げることで、係止突起としての螺子Ｓ４が係止孔７３の垂直部７３１に案内されて下降し、室外側パネル３０の下片３０２が係止片として横桟６の上面の被係止部としての凹部６０に係止して、図５、図６に示す状態となる。
【００３０】
この状態において、上側フレーム材３２の折曲片３２２の先端は笠木５の室外側の垂下片５０に当接しており、上側フレーム材３２の水平片３２１に取り付けたパネル取付片５´の立ち上がり片５１´は笠木５の室内側の垂下片５１に室外側から当接している。下片３０２の水平片３０２Ａは、横桟６の上面に当接しており、下片３０２の垂下片３０２Ｂは横桟６の凹部６０に係止している。また、図示はしていないが、左右の縦フレーム材３４、３５の見込片３４２、３５２に突設した係止突起（螺子Ｓ４）は、係止孔７３の垂直部７３１の下端に当接している。したがって、室外側パネル３０は、上方へ移動しない限り、室外側への移動が規制されている。
【００３１】
また、図６に示すように、室外側パネル３０の左右の縦フレーム材３４、３５の見込片３４２、３５２は、それぞれ左右の係止縦枠７の見込片７２に近接している。そして、室外側パネル３０の面部３００の幅方向両端部は、縦フレーム材３４、３５の見込片３４２、３５２を越えてそれぞれ戸先側袖パネル２Ａ側、戸尻側袖パネル２Ｂ側の端面２２に近接するまで延出しており、左右の係止縦枠７の室外側目付片７０を室外側から隠蔽している。
【００３２】
次いで、室内側パネル３１を取り付ける。具体的には、室内側から、室内側パネル３１の上側係止片、具体的には、上片３１１（水平片３１１Ａと垂下片３１１Ｂ）の垂下片３１１Ｂを、笠木５の室内側の垂下片５１と被係止片９との間に上方から差し込むようにして室外側パネル３０の被係止片９に上方から係止させ、同時に、室内側パネル３１の下側係止片、具体的には、下片３１２の垂下片３１２Ｂを、横桟６の上面の被係止部としての凹部６０に係止させる。最後に、螺子Ｓ２によって室内側から笠木５の室内側の垂下片５１とパネル取付片５´の立ち上がり片５１´とを固定することで、図２上図、図３左図、図４に示す組立状態となる。
【００３３】
組立状態において、室外側パネル３０の上側フレーム材３２の折曲片３２３と、室外側パネル３０の下側フレーム材３３の垂直片３３２は、室内側パネル３１の面部３１０のパネル内側面（室外側パネル３０に対向する面）に当接している。また、室内側パネル３１の上片３１１の水平片３１１Ａと垂下片３１１Ｂは、被係止片９の上端に係止しており、下片３１２の水平片３１２Ａは、横桟６の上面に当接しており、下片３１２の垂下片３１２Ｂは横桟６の凹部６０に係止している。したがって、室内側パネル３１は、上方へ移動しない限り、室内側への移動が規制されている。ここで、笠木５の室内側の垂下片５１とパネル取付片５´の立ち上がり片５１´とを固定する螺子Ｓ２の頭部が室外側パネル３１の上片３１１の直上に位置しており、室外側パネル３０及び室内側パネル３１の両方のパネルの上方への移動が規制されている。
【００３４】
また、組立状態においては、図２上図に示すように、室内側パネル３１の面部３１０の幅方向両端部は、縦フレーム材３４、３５の見込片３４２、３５２を越えてそれぞれ戸先側袖パネル２Ａ側、戸尻側袖パネル２Ｂ側の端面２２に近接するまで延出しており、左右の係止縦枠７の室内側見付片７１を室内側から隠蔽している。
【産業上の利用可能性】
【００３５】
本発明は、トイレブースの上部パネルの取り付けに用いることができる。
【図面の簡単な説明】
【００３６】
【図１】トイレブースの上面図および外側から見た正面図である。
【図２】上図は、上部パネルの部位の横断面図、下図は、扉体の部位の横断面図である。
【図３】左図は、上部パネル及び扉体の部位の縦断面図、右図は、袖パネルの部位の縦断面図である。
【図４】図３左図の上部パネル部位の拡大図である。
【図５】図３左図を分解して示す図である。
【図６】図２上図を分解して示す図および戸尻側の係止縦枠の斜視図である。
【図７】扉体を、引戸に代えて開き戸から構成した態様を示す図であり、（Ａ）は概略正面図、（Ｂ）は上部パネル及び扉体の部位の縦断面図、（Ｃ）は上部パネルの部位の横断面図、（Ｄ）は扉体の部位の横断面図である。
【図８】従来の上部パネルを示す横断面図である。
【符号の説明】
【００３７】
２  袖パネル
３  上部パネル
３０  室外側パネル
３００  面部
３０１  上片
３０２  下片
３０３  縦片
３０４  縦片
３２  上側フレーム材
３３  下側フレーム材
３４  縦フレーム材
３５  縦フレーム材
３１  室内側パネル
３１０  面部
３１１  上片
３１２  下片
３１３  縦片
３１４  縦片
５    笠木
６    横桟
７    係止縦枠
７３  係止孔
８    ベース部材
９    被係止片
Ｓ１〜Ｓ６    螺子
【図１】
2010150880.tif 000003
【図２】
2010150880.tif 000004
【図３】
2010150880.tif 000005
【図４】
2010150880.tif 000006
【図５】
2010150880.tif 000007
【図６】
2010150880.tif 000008
【図７】
2010150880.tif 000009
【図８】
2010150880.tif 000010